(57)【要約】【課題】  ＲＦＩＤが付設された用紙などからなる基材のＲＦＩＤに格納された情報の再生方法を提供する。  【解決手段】  手段Ａ４１により束１０が湾曲状態になり、基材２１の端部に付設されたＲＦＩＤ３１が手段Ａ４１からみて覗き見る状態となり、手段Ａ４１から電磁波５１が発せられ、この電磁波５１を介して各ＲＦＩＤに対して情報の読書きが行われる。【選択図】      図１
2005352966.tif 000002
【特許請求の範囲】
【請求項１】
端部にＲＦＩＤが付設された平板状で可撓性を有する基材を、前記端部が揃うように複数枚積み重ねてなる束とし、該束を構成する各基材のそれぞれのＲＦＩＤに対して個別に１つの手段Ａを用いて情報の記録と再生を行うＲＦＩＤの録再方法であって、
前記束の一部又は全ての基材において、前記束をその側方から見て、少なくとも前記端部を湾曲させ、各基材のＲＦＩＤを覗き見ることができる位置に前記手段Ａを配し、前記手段Ａから発せられた電磁波を各基材のＲＦＩＤ近傍で順に移動させることにより、各基材のＲＦＩＤを順次読書きすることを特徴とするＲＦＩＤの録再方法。
【請求項２】
前記ＲＦＩＤを読書きする際、前記手段Ａを各基材の端部に接触状態とし、前記各基材を湾曲させるために、前記手段Ａを用いることを特徴とする請求項１に記載のＲＦＩＤの録再方法。
【請求項３】
前記ＲＦＩＤを読書きする際、前記手段Ａを各基材の端部に非接触状態とし、前記各基材を湾曲させるために、前記手段Ａとは別体をなす手段Ｂを用いることを特徴とする請求項１に記載のＲＦＩＤの録再方法。
【発明の詳細な説明】
【技術分野】
【０００１】
本発明は、ＲＦＩＤが付設された用紙などからなる基材のＲＦＩＤに対して読書きを行うＲＦＩＤの録再方法に関する。
【背景技術】
【０００２】
企業や官公庁において、日々、沢山の書類が作成されており、これらの書類の管理に多大な労力を要すことから、正確且つ容易に管理する方法として、ＲＦＩＤ（Radio Frequency Identification）を用いた管理方法が提案されている（例えば、特許文献１参照）。
【０００３】
図３は、従来のＲＦＩＤを用いた書類の管理方法の一例を示す斜視図である。多くの書類３３１がとじられた複数のバインダー３３２の背表紙にＲＦＩＤ３３３が貼付されていて、このＲＦＩＤ３３３に、どのような書類がファイルされているかが記録されている。ＲＦＩＤはリーダを所定距離まで近づけると、ダンボール等の箱３３４の中に入っていても、非接触で読取ることができるので、バインダー３３２を箱３３４から取り出さなくても、箱３３４の中にどのような書類が入っているかが簡便に判る。
また、図４に示すように、重要書類４４１には1枚毎にＲＦＩＤ４４２が貼付されていて、付加情報が記録されると共に、ＲＦＩＤ４４２の読取機能を備えたコピー機で複写しようとした際に、ＲＦＩＤ４４２が検知されて、いつ複写されたが記録されるようになっている。
【特許文献１】特開２０００−２７２７２３号公報
【発明の開示】
【発明が解決しようとする課題】
【０００４】
しかしながら、ＲＦＩＤが貼付された重要書類等の薄型可撓性基材がバインダー等に綴じられていた場合、録再手段の読書き範囲で他のＲＦＩＤが重なる数が多くなると、電磁波のエネルギーと指向性から、個々のＲＦＩＤの読書きができなくなるため、１枚毎バインダーから書類を取り出して読書きしなければならなくなり、書類の枚数が多いと、非常な労力を要するという問題がある。
そこで、本発明は、ＲＦＩＤが付設された書類等を１枚毎取り出さなくても、バインダーから取り出した束のままで簡便に効率よく、書類1枚毎に付設されたＲＦＩＤを読み書きできる方法を提供する。
【課題を解決するための手段】
【０００５】
かかる課題を解決するために、本発明に係るＲＦＩＤの録再方法は、端部にＲＦＩＤが付設された平板状で可撓性を有する基材を、前記端部が揃うように複数枚積み重ねてなる束とし、該束を構成する各基材のそれぞれのＲＦＩＤに対して個別に１つの手段Ａを用いて情報の記録と再生を行うＲＦＩＤの録再方法であって、前記束の一部又は全ての基材において、前記束をその側方から見て、少なくとも前記端部を湾曲させ、各基材のＲＦＩＤを覗き見ることができる位置に前記手段Ａを配し、前記手段Ａから発せられた電磁波を各基材のＲＦＩＤ近傍で順に移動させることにより、各基材のＲＦＩＤを順次読書きすることを特徴としている。
かかる構成によれば、各基材を積み重ねて束を形成した際に、たとえ各基材のＲＦＩＤが重なっていても、ＲＦＩＤが付設された端部を湾曲させることによって、手段Ａから順に各ＲＦＩＤを覗き見ることが出来る状態になるため、手段Ａにより各ＲＦＩＤを順次読書きすることができる。
【０００６】
上記ＲＦＩＤの録再方法は、前記ＲＦＩＤを読書きする際、前記手段Ａを各基材の端部に接触状態とし、前記各基材を湾曲させるために、前記手段Ａを用いることを特徴としている。
このように、手段Ａは、各基材の端部に接触して各基材の端部を湾曲させることによって、各ＲＦＩＤを覗き見ることができるようになり、各ＲＦＩＤを読書きすることができる。手段Ａは、各基材を湾曲させる手段Ｂも兼ねているため、構成が簡略化でき、装置を作製した場合、低コスト化が図れる。
【０００７】
また、上記ＲＦＩＤの録再方法は、前記ＲＦＩＤを読書きする際、前記手段Ａを各基材の端部に非接触状態とし、前記各基材を湾曲させるために、前記手段Ａとは別体をなす手段Ｂを用いることを特徴としている。
これにより、手段Ａは、各基材と接触している必要がなくなるため、場合によっては、各ＲＦＩＤから距離を置くことによって、最適な録再位置を確保できるようになり、ＲＦＩＤの読書きがさらに安定かつ確実なものになる。
【発明の効果】
【０００８】
以上説明したように、本発明によれば、各基材に付設されたＲＦＩＤを簡便に、かつ確実に読書きする方法を提供できる。
【発明を実施するための最良の形態】
【０００９】
以下、本発明の基材に付設されたＲＦＩＤの録再方法の実施の形態について図面を用いて説明する。なお、この実施形態は、発明の趣旨をより良く理解するために具体的に説明するものであり、特に指定のない限り、本発明を限定するものではない。
【００１０】
図１は、本発明のＲＦＩＤの録再方法の第一の実施形態の一例を示す断面図であり、（ａ）は基材が積み重ねてなる束を、（ｂ）はこの束のＲＦＩＤを含む端部を手段Ａで湾曲させ、手段Ａにより1枚目の基材のＲＦＩＤを読書きしている状態を、（ｃ）は1枚目の基材が湾曲から復元し、手段Ａにより２枚目の基材のＲＦＩＤを読書きしている状態を示す。
基材２１の端部にＲＦＩＤ３１が、基材２２の端部にＲＦＩＤ３２が、基材２３の端部にＲＦＩＤ３３が、基材２４の端部にＲＦＩＤ３４が付設され、基材２１、２２、２３、２４が積み重なって（ａ）のような束１０を形成している。
手段Ａ４１を用いて基材２１の端部を押し込むと束１０は、（ｂ）に示すように湾曲し、基材２１のＲＦＩＤ３１が手段Ａ４１からみて覗き見る状態となり、手段４１から電磁波５１が発せられ、この電磁波５１を介して各ＲＦＩＤに対して情報の読書きが行われる。
【００１１】
この束１０をさらに湾曲させると、（ｃ）に示すように、基材２１が手段Ａ４１から外れて、弾性力により概略平坦状に復元し、基材２２が手段Ａ４１に接触して湾曲するため、ＲＦＩＤ３２が手段Ａ４１から見て覗き見る状態となり、上述と同様にして、ＲＦＩＤ３２が手段Ａ４１により読書きされる。これを順に繰り返すことによって各基材のＲＦＩＤが手段Ａ４１によって読書きされる。
【００１２】
ＲＦＩＤが覗き見られるとは、電磁波を利用することにより、読書き可能とならしめる状態に配置されていることを意味しており、ＲＦＩＤが基材の中に埋設されていて、肉眼では見ることができなくても、手段Ａ４１から発せられた電磁波５１を介して読書きできるならば、覗き見られると定義する。  
また、図１では、４枚の基材からなる束を示しているが、束を構成する基材の枚数は４枚に限られることなく、何枚であっても良い。
【００１３】
上述のように、第一の実施の形態では、手段Ａ４１により各基材のＲＦＩＤが付設された端部が湾曲され、順次、上層の基材が湾曲状態から復元することにより、その下の基材のＲＦＩＤが覗き見る状態となり、そのＲＦＩＤが読書きされ、これを繰り返すことによって束を形成している複数の基材のＲＦＩＤが読書きされる。
【００１４】
図２は、本発明のＲＦＩＤの録再方法の第二の実施形態の一例を示し、（ａ）は基材を積み重ねてなる束を、（ｂ）はこの束のＲＦＩＤを含む端部を手段Ｂで湾曲し、手段Ａにより1枚目の基材のＲＦＩＤを読書きしている状態を、（ｃ）は1枚目の基材が湾曲から復元し、手段Ａにより２枚目の基材のＲＦＩＤを読書きしている状態を示す断面図である。
【００１５】
第二の実施の形態では、束１００を構成する各基材のＲＦＩＤが付設されている端部を湾曲させる手段Ｂ１６１と、各基材のＲＦＩＤを読書きする手段Ａ１４１とが別体として設けられている。すなわち、図２において、（ａ）の状態の束を手段Ｂ１６１により湾曲させると、基材１２１のＲＦＩＤ１３１が、手段Ａ１４１から見て、覗き見る状態となる。そして、手段１４１から電磁波１５１が発せられると、この電磁波１５１を介してＲＦＩＤ１３１が読書きされる。
【００１６】
手段Ｂ１６１から基材１２１が外れると、（ｃ）に示すように、基材１２１は、その弾性力により概略平坦状に復元し、ＲＦＩＤ１３２が手段Ａ１４１から見て覗き見る状態となり、上述と同様にして、ＲＦＩＤ１３２が手段Ａ１４１により読書きされる。これを順に繰り返すことによって各基材のＲＦＩＤが手段Ａ１４１によって読書きされる。
【産業上の利用可能性】
【００１７】
本発明のＲＦＩＤの録再方法は、ＲＦＩＤが付設されたドキュメント用紙だけでなく、有価証券や伝票、紙幣等、ＲＦＩＤが付設されているものにも適用できる録再方法である。
【図面の簡単な説明】
【００１８】
【図１】本発明に係るＲＦＩＤの録再方法の第一の実施形態の一例を示し、（ａ）は基材を積み重ねてなる束を、（ｂ）はこの束のＲＦＩＤを含む端部を手段Ａで湾曲し、手段Ａにより1枚目の基材のＲＦＩＤを覗き見て読書きしている状態を、（ｃ）は1枚目の基材が復元し、手段Ａにより２枚目の基材のＲＦＩＤを読書きしている状態を示す断面図である。
【図２】本発明のＲＦＩＤの録再方法の第二の実施形態の一例を示し、（ａ）は基材を積み重ねてなる束を、（ｂ）はこの束のＲＦＩＤを含む端部を手段Ｂで湾曲し、手段Ａにより1枚目の基材のＲＦＩＤを覗き見て読書きしている状態を、（ｃ）は1枚目の基材が湾曲から外れて、手段Ａにより２枚目の基材のＲＦＩＤを読書きしている状態を示す断面図である。
【図３】ＲＦＩＤを装着したバインダーを箱内に収納した様子を示す斜視図である。
【図４】書類にＲＦＩＤを貼付した例を示す図である。
【符号の説明】
【００１９】
１０、１００  束、２１、２２、２３、２４、１２１、１２２、１２３、１２４  基材、３１、３２、３３、３４、１３１、１３２、１３３、１３４  ＲＦＩＤ、４１、１４１  手段Ａ、５１、１５１  電磁波、１６１  手段Ｂ。
【図１】
2005352966.tif 000003
【図２】
2005352966.tif 000004
【図３】
2005352966.tif 000005
【図４】
2005352966.tif 000006